(57)【特許請求の範囲】
【請求項１】
洗浄室内に設けた洗浄ノズル及びすすぎノズルと、前記洗浄室下方において開口する洗浄タンクとを備え、前記洗浄室内を移送される食器類に前記洗浄ノズルから前記洗浄タンク内の洗浄水を噴射して洗浄を行うと共に、すすぎ水を前記すすぎノズルから噴射してすすぎを行う食器洗浄機において、
前記洗浄ノズルは、洗浄水が給送される中空管内に連通してそれに複数並設されると共に、各洗浄ノズルには、前記中空管との干渉により、正規の向きとは逆向きの取付を禁止する取付方向規制部材が設けられ、この取付方向規制部材は中空管に取付けられて洗浄ノズルの一方の側に垂直に突出してこの洗浄ノズルの回転を防止する断面Ｌ字状の回転防止板と、この突出している回転防止板の反対側の前記洗浄ノズルに設けられたコ字状の規制部材とで構成されていることを特徴とする食器洗浄機。
【発明の詳細な説明】
【０００１】
【発明の属する技術分野】
本発明は、洗浄室内にて食器類の洗浄とすすぎを行う食器洗浄機に関するものである。
【０００２】
【従来の技術】
従来よりこの種ラック移送式の食器洗浄機は、例えば実公昭５５−５１４１５号公報（Ａ４７Ｌ１５／４２）に示される如く、洗浄室内の洗浄領域（公報では洗浄室と称している）に上下洗浄ノズルとすすぎ領域（公報ではすすぎ室と称している）内に上下すすぎノズルとを配設すると共に、上下のノズル間にはラック送り機構を取り付け、食器類を収納したラックを一定速度で移送する。
【０００３】
そして、洗浄室の下方には上面に開口する洗浄タンクを設け、洗浄領域では上下洗浄ノズルから洗浄タンク内の洗浄水をポンプにより食器類に噴射し、その後、すすぎ領域において上下すすぎノズルから温水であるすすぎ水を食器類に噴射することにより、順次連続して洗浄とすすぎが行われるように構成されていた。
【０００４】
ここで、上洗浄ノズル１３Ａは図５に示す如き形状を呈している。この上洗浄ノズル１３Ａは、ノズルを回転させて洗浄を行う食器洗浄機用のものであり、その下面に形成された噴射口１６Ａは左右非対称の位置に複数形成されると共に、上洗浄ノズル１３Ａの中心点Ｏを中心として回転された場合に、各噴射口１６Ａ・・から噴射された洗浄水が、その回転円内の全ての領域に行き渡る位置に形成されている。
【０００５】
【発明が解決しようとする課題】
そして、ラック移送式の食器洗浄機では、係る上洗浄ノズル１３Ａをラックレールの上方に複数並設し、洗浄水を給送する中空管に固定するものであるが、前述の如く噴射口１６Ａが位置非対称の位置に形成されているので、向きを逆とした上洗浄ノズル１３Ａを同数ずつ並設しなければ、ラック内の食器類に吹き付けられる洗浄水が偏ってしまい、洗浄水が吹き付けられない領域ができてしまう。
【０００６】
しかしながら、この上洗浄ノズル１３Ａはどちらの方向にも取り付けられるため、最悪の場合には全ての上洗浄ノズル１３Ａを同じ向きに取り付けてしまう過誤が発生していた。
【０００７】
本発明は、係る従来の技術的課題を解決するために成されたものであり、洗浄ノズルを正規の向きに間違い無く取り付けることができる食器洗浄機を提供するものである。
【０００８】
【課題を解決するための手段】
本発明の食器洗浄機は、洗浄室内に設けた洗浄ノズル及びすすぎノズルと、前記洗浄室下方において開口する洗浄タンクとを備え、前記洗浄室内を移送される食器類に前記洗浄ノズルから前記洗浄タンク内の洗浄水を噴射して洗浄を行うと共に、すすぎ水を前記すすぎノズルから噴射してすすぎを行う食器洗浄機において、前記洗浄ノズルは、洗浄水が給送される中空管内に連通してそれに複数並設されると共に、各洗浄ノズルには、前記中空管との干渉により、正規の向きとは逆向きの取付を禁止する取付方向規制部材が設けられ、この取付方向規制部材は中空管に取付けられて洗浄ノズルの一方の側に垂直に突出してこの洗浄ノズルの回転を防止する断面Ｌ字状の回転防止板と、この突出している回転防止板の反対側の前記洗浄ノズルに設けられたコ字状の規制部材とで構成されているものである。
【０００９】
本発明によれば、洗浄室内に設けた洗浄ノズル及びすすぎノズルと、前記洗浄室下方において開口する洗浄タンクとを備え、前記洗浄室内を移送される食器類に前記洗浄ノズルから前記洗浄タンク内の洗浄水を噴射して洗浄を行うと共に、すすぎ水を前記すすぎノズルから噴射してすすぎを行う食器洗浄機において、前記洗浄ノズルは、洗浄水が給送される中空管内に連通してそれに複数並設されると共に、各洗浄ノズルには、前記中空管との干渉により、正規の向きとは逆向きの取付を禁止する取付方向規制部材が設けられ、この取付方向規制部材は中空管に取付けられて洗浄ノズルの一方の側に垂直に突出してこの洗浄ノズルの回転を防止する断面Ｌ字状の回転防止板と、この突出している回転防止板の反対側の前記洗浄ノズルに設けられたコ字状の規制部材とで構成されているので、洗浄ノズルを中空管に取り付ける際、正規の向きとは逆向きに取り付けようとすると、取付方向規制部の回転防止板と規制部材とが干渉して取り付けられなくなる。
【００１０】
これにより、洗浄ノズルを正規の向きに確実に取り付けることができるようになり、洗浄水の偏りによる食器類の汚れ残りの発生を効果的に解消することができるようになるものである。
【００１１】
【発明の実施の形態】
次に、図面に基づき本発明の実施形態を詳述する。図１は本発明の食器洗浄機ＤＷの縦断正面図、図２は食器洗浄機ＤＷのもう一つの縦断正面図、図３は食器洗浄機ＤＷの中空管２１に取り付けられた上洗浄ノズル１３Ａ・・Ｎ正面図、図４は同下面図である。尚、後述する上洗浄ノズル１３Ａは前記図５で示したものである。
【００１２】
各図において、１は内部を洗浄室２と成し、両側壁３、４に相対向してラックＲの入出用の開口６、７を形成した外装体であり、底壁８の後部を下方へ凹陥させて上面に開口する洗浄タンク１０を形成すると共に、洗浄室２内下部の前後に、前記ラックＲを開口６側より開口７側へ移動自在に支持する一対のラックレール１２、１２が取り付けられている。
【００１３】
洗浄室２内は入口となる一方の開口６側が洗浄領域Ｗ１、出口となる他方の出口側がすすぎ領域Ｗ２とされ、前記洗浄領域Ｗ１内の上下に前段の洗浄を行う一対の上下洗浄ノズル１３Ａ、１３Ｂが設けられると共に、すすぎ領域Ｗ２内の上下には終段のすすぎを行う一対の上下すすぎノズル１４Ａ、１４Ｂがそれぞれ設けられている。また、前記ラックレール１２、１２は上記洗浄領域Ｗ１からすすぎ領域Ｗ２まで渡って設けられると共に、開口６及び開口７と領域Ｗ１とＷ２間にはカーテンＣがそれぞれ吊下されている。
【００１４】
そして、上洗浄ノズル１３Ａ及び上すすぎノズル１４Ａは外装体１の天壁１５下側に配置され、その噴射口１６Ａ・・、１７Ａからは下方に洗浄水或いはすすぎ水を噴射すると共に、下洗浄ノズル１３Ｂ及び下すすぎノズル１４Ｂはラックレール１２、１２の直下に位置して取り付けられ、その噴射口１６Ｂ・・、１７Ｂからは上方に洗浄水或いはすすぎ水を噴射する構成とされている。
【００１５】
１８は前記洗浄タンク１０内に貯留された洗浄水を吸引し、加圧して前記上下洗浄ノズル１３Ａ、１３Ｂにそれぞれ中空管２０、２１を介して給送する洗浄ポンプである。
【００１６】
ここで、上洗浄ノズル１３Ａは天壁１５の下側に位置する中空管２１の下部に複数取り付けられる。この場合、中空管２１の下部には下向きに開口した吐出部６２・・・が左右に渡って四カ所形成されており、各吐出部６２・・・には断面Ｌ字状の回転防止板６３（中空管２１の一部となる）が取り付けられている。この回転防止板６３は上洗浄ノズル１３Ａの回転を防止するためのものであり、吐出部６２の左側若しくは右側から下方に突出しているが、左端の吐出部６２と右から二番目の吐出部６２においては回転防止板６３はその左側に突出し、右端の吐出部６２と左から二番目の吐出部６２においては回転防止板６３はその右側に突出して取り付けられている。
【００１７】
一方、上洗浄ノズル１３Ａには中心Ｏ（図５）には規制部材６６が取り付けられている。この規制部材６６は中心Ｏから噴射口１６Ａが並ぶ方向に直交する向き（図５における下向き）に延在し、上方に直角に屈曲された後、上洗浄ノズル１３Ａの鍔部に溶接固定されている。
【００１８】
そして、上洗浄ノズル１３Ａを中空管２１に取り付ける際には、図５における中心Ｏの裏側に形成された入口（図示せず）を吐出部６２に宛い、規制部材６６が回転防止板６３の反対側となる向き（図６）として、蝶ネジ６７により着脱自在に取り付ける。この状態で上洗浄ノズル１３Ａ内は中空管２１内に連通する。
【００１９】
また、図３の如く回転防止板６３は交互に吐出部６２の異なる側に突出しているので、上洗浄ノズル１３Ａは左から順に交互に向きを違えて取り付けられるかたちとなる（正規の向き）。これによって、後述する如く下方を通過するラックＲに満遍なく洗浄水を噴射できるようになる。
【００２０】
ここで、図７の如く規制部材６６が回転防止板６３と同じ側となる向きに上洗浄ノズル１３Ａを取り付けようとすると、規制部材６６が回転防止板６３に当たって（干渉して）上洗浄ノズル１３Ａの入口を吐出部６２に宛うことができなくなる。これにより、洗浄ノズルを中空管に取り付ける際、正規の向きとは逆向きに取り付けようとすると、取付方向規制部が中空管に干渉して取り付けられなくなる。
【００２１】
これにより、上洗浄ノズル１３Ａ・・・を正規の向きに確実に取り付けることができるようになり、洗浄水の偏りによる食器類の汚れ残りの発生を効果的に解消することができるようになる。
【００２２】
他方、洗浄タンク１０は洗浄室２の後部下方において上方に開口しており、この開口部分には洗浄水中の比較的大きな残菜を濾過するために目の細かい透孔が複数穿設されたタンクフィルタ３１・・が着脱自在に複数並設されている。更に、外装体１の前面には扉１９が設けられている。
【００２３】
尚、上下すすぎノズル１４Ａ、１４Ｂには外装体１の外に別置きしたボイラーなど適宜の給水装置（図示せず）からこれも図示しない弁やパイプを介してすすぎ水を供給する。また、この下すすぎノズル１４Ｂの下方には、それに対応して前記洗浄タンク１０上部に位置するようすすぎ水受け２３が配設され、前記タンクフィルタ３１・・の側方に位置している。
【００２４】
このすすぎ水受け２３は、上面開口の矩形状容器であり、長手方向を食器洗浄機１の前後方向に向けて配設されると共に、その底面には複数の目の細かい透孔が穿設され、その上面全体は図示しないフィルタにて覆われている。このすすぎ水受け２３の下方には、後壁からオーバーフローパイプ４３が洗浄タンク１０内に引き込まれている。このオーバーフローパイプ４３は後壁から前方に向けて水平に延在している。そして、円筒状を呈したパイプの先端（前端）開口の下半分は閉塞され、そこから後方に向け、所定範囲で上側半分が切り欠かれて、そこに開口部４４が形成されている。
【００２５】
また、オーバーフローパイプ４３の前端はすすぎ水受け２３下面のフィルタ部３７内に挿入されると共に、オーバーフローパイプ４３の後端は外部に連通されている。
【００２６】
更に、洗浄タンク１０の左右方向の略中央部にはもう一つの安全用オーバーフローパイプ４７が立設されている。この安全用オーバーフローパイプ４７の上端開口はドレンハンドル４８内に挿入され、その状態で前記オーバーフローパイプ４３の開口部４４よりも高い位置の洗浄タンク１０内にて上方に向け開口している。そして、オーバーフローパイプ４７の下端は洗浄タンク１０の下方外部に連通されている。
【００２７】
次ぎに、２５、２５は吊り板６１・・・にて左右方向（開口６−７方向）に往復移動自在に吊り下げ支持されたラック送りであり、それぞれラックレール１２、１２の下側に配置され、ラック送りモータ２４にて駆動されるクランク機構２６などにて左右方向（開口６−７方向）に往復移動される。このラック送り２５には複数のラック送りピン４９・・が支軸２７を中心に反復円弧作動されるように取り付けられている。そして、このラック送りピン４９・・が前記ラックレール１２、１２に載置された食器類Ｄを収納せるラックＲに順次係合することにより、入口用の開口６から出口用の開口７に略定速度で当該ラックＲを順次移動させるものである。
【００２８】
また、前記ラックレール１２、１２の上側には、洗浄領域Ｗ１に位置して洗浄スイッチ５１が取り付けられると共に、すすぎ領域Ｗ２に位置してすすぎスイッチ５２が取り付けられている。更に、５３は洗浄タンク１０内に設けられた液位スイッチであり、５４は洗浄タンク１０を加熱する補助ヒータである。また、５６は洗浄タンク１０の前側に設けられた電装ボックスで、その前面には食器洗浄機ＤＷの運転のＯＮ−ＯＦＦを行うための運転スイッチ５７や、補助ヒータ５４のスイッチ５８などが設けられている。そして、５９は外装体１の上面に設けられたスイッチボックスである。
【００２９】
以上の構成で、食器類Ｄを洗浄する際には、ラックＲ内にそれらを収納した後、入口側となる開口６から外装体１の洗浄室２内に挿入する。そして、運転スイッチ５７をＯＮすると、ラック送りモータ２４が駆動され、前述した如くラックＲは以後ラック送り２５により定速度で開口６側から開口７側に移動される。そして、ラックＲが洗浄領域Ｗ１の洗浄スイッチ５１のところまで来ると、それが閉じられて前記洗浄ポンプ１８が起動される。
【００３０】
これによって、上下洗浄ノズル１３Ａ、１３Ｂの噴射口１６Ａ・・、１６Ｂ・・からは前述の如く洗浄タンク１０内の洗浄水が食器類Ｄに噴射され、移動されながら洗浄される。洗浄に使用された洗浄水はタンクフィルタ３１・・を経て、最終的に洗浄タンク１０内に流入し、再び洗浄ポンプ１８に吸引されることになる。
【００３１】
ラック送り２５によりラックＲが更に移送されてすすぎ領域Ｗ２のすすぎスイッチ５２のところまで来ると、それが閉じられて前記弁が開放され、それによって、上下すすぎノズル１４Ａ、１４Ｂの噴射口１７Ａ・・、１７Ｂ・・からは温水から成るすすぎ水が食器類Ｄに噴射され、移動されながら洗剤をすすがれる。
【００３２】
すすぎに使用されたすすぎ水は、前記すすぎ水受け２３内に流入し、約半分が透孔３４・・から洗浄タンク１０内に流入するが、残りはすすぎ水受け２３の排水口から直接オーバーフローパイプ４３の開口部４４内に入って外部に排出される。
【００３３】
そして、最終的にラックＲは出口側の開口７から外装体１外に送り出される。係る洗浄とすすぎは所定間隔で挿入された複数のラックＲ・・に対して連続的に行われるものであるが、前述の如くすすぎ水の約半分は洗浄タンク１０内に流入するため、その洗浄水の液位は上昇する。そして、オーバーフローパイプ４３の開口部４４の高さより上昇すると、その分はすすぎ水受け２３のフィルタ部３７を経てオーバーフローパイプ４３の開口部４４からオーバーフローパイプ４３内に入り、外部に排出されることになる。
【００３４】
【発明の効果】
以上詳述した如く本発明によれば、洗浄室内に設けた洗浄ノズル及びすすぎノズルと、前記洗浄室下方において開口する洗浄タンクとを備え、前記洗浄室内を移送される食器類に前記洗浄ノズルから前記洗浄タンク内の洗浄水を噴射して洗浄を行うと共に、すすぎ水を前記すすぎノズルから噴射してすすぎを行う食器洗浄機において、前記洗浄ノズルは、洗浄水が給送される中空管内に連通してそれに複数並設されると共に、各洗浄ノズルには、前記中空管との干渉により、正規の向きとは逆向きの取付を禁止する取付方向規制部材が設けられ、この取付方向規制部材は中空管に取付けられて洗浄ノズルの一方の側に垂直に突出してこの洗浄ノズルの回転を防止する断面Ｌ字状の回転防止板と、この突出している回転防止板の反対側の前記洗浄ノズルに設けられたコ字状の規制部材とで構成されているので、洗浄ノズルを中空管に取り付ける際、正規の向きとは逆向きに取り付けようとすると、取付方向規制部の回転防止板と規制部材とが干渉して取り付けられなくなる。
【００３５】
これにより、洗浄ノズルを正規の向きに確実に取り付けることができるようになり、洗浄水の偏りによる食器類の汚れ残りの発生を効果的に解消することができるようになるものである。
【図面の簡単な説明】
【図１】本発明の食器洗浄機の縦断正面図である。
【図２】本発明の食器洗浄機のもう一つの縦断正面図である。
【図３】本発明の食器洗浄機の中空管と上洗浄ノズルの正面図である。
【図４】本発明の食器洗浄機の中空管と上洗浄ノズルの下面図である。
【図５】本発明の食器洗浄機の上洗浄ノズルの下面図である。
【図６】本発明の食器洗浄機の中空管と上洗浄ノズルの拡大側面図である。
【図７】本発明の食器洗浄機の中空管に上洗浄ノズルを誤って取り付けようとした場合の拡大側面図である。
【符号の説明】
ＤＷ  食器洗浄機
Ｄ  食器類
Ｗ１  洗浄領域
Ｗ２  すすぎ領域
Ｒ  ラック
１  外装体
２  洗浄室
１０  洗浄タンク
１２  ラックレール
１３Ａ  上洗浄ノズル
１６Ａ  噴射口
１８  洗浄ポンプ
２１  中空管
２４  ラック送りモータ
２５  ラック送り
２６  クランク機構
４９  ラック送りピン
６２  吐出部
６３  回転防止板
６６  規制部材
６７  蝶ネジ
【図１】
0003773636.tif 000002
【図２】
0003773636.tif 000003
【図３】
0003773636.tif 000004
【図４】
0003773636.tif 000005
【図５】
0003773636.tif 000006
【図６】
0003773636.tif 000007
【図７】
0003773636.tif 000008